(57)【要約】【課題】作業効率を向上できる調光操作装置を提供する。【解決手段】調光操作装置は、記憶部、表示手段17、表示制御手段および設定手段を備える。記憶部は、複数の照明負荷について入力調光レベルの変化に対する光出力の変化の割合を設定する光出力特性パターンを記憶する。表示手段17は、画像を表示する。表示制御手段は、表示手段17に、照明負荷に対応する選択部28を表示するとともに、選択部28に対応して記憶部に記憶されている照明負荷の光出力特性パターンのサムネイル画像29を表示する。設定手段は、表示手段17に表示された選択部28を選択し、光出力特性パターンを設定する。【選択図】図１
2015076156.tif 000002
【特許請求の範囲】
【請求項１】
複数の照明負荷について入力調光レベルの変化に対する光出力の変化の割合を設定する光出力特性パターンを記憶する記憶部と；
画像を表示する表示手段と；
前記表示手段に、前記照明負荷に対応する選択部を表示するとともに、前記選択部に対応して前記記憶部に記憶されている前記照明負荷の光出力特性パターンのサムネイル画像を表示する表示制御手段と；
前記表示手段に表示された前記選択部を選択し、前記光出力特性パターンを設定する設定手段と；
を具備することを特徴とする調光操作装置。
【請求項２】
前記表示制御手段は、前記表示手段に、前記選択部および前記サムネイル画像を表示する選択表示領域と、前記選択部で選択された前記照明負荷の前記光出力特性パターンを表示するパターン表示領域とを同時に表示する
ことを特徴とする請求項１記載の調光操作装置。
【発明の詳細な説明】
【技術分野】
【０００１】
本発明の実施形態は、照明負荷の光出力特性パターンを設定する調光操作装置に関する。
【背景技術】
【０００２】
従来、例えば、スタジオや舞台の照明においては、スタジオや舞台に設置される複数の照明負荷の調光状態を操作するために調光操作装置として調光操作卓が用いられている。この調光操作卓は、複数のフィーダを備えており、各フィーダの操作で入力調光レベルを変化させることによって各フィーダに予め割り付けられている照明負荷の光出力を変化させるようにしている。
【０００３】
このような調光操作卓では、照明負荷毎に予め設定されている光出力特性パターン（プロファイルカーブ）に基づいて、フィーダで操作される入力調光レベルに対して照明負荷の光出力を変化させている。光出力特性パターンは、フィーダの操作による入力調光レベルの変化に対する照明負荷の光出力の変化の割合を設定するものであり、任意に設定可能になっている。
【０００４】
既に設定されている照明負荷の光出力特性パターンを確認したり、修正および設定する場合には、調光操作卓の表示手段で複数の照明負荷に対応した選択部を含む設定画面を表示し、この設定画面で任意の選択部を選択することにより、選択部に対応する照明負荷の光出力特性パターンを表示する。表示された光出力特性パターンを確認し、必要に応じて修正し、設定する。
【先行技術文献】
【特許文献】
【０００５】
【特許文献１】特開２０１２−６９４２１号公報
【発明の概要】
【発明が解決しようとする課題】
【０００６】
調光操作卓の表示手段で表示される設定画面では、複数の照明負荷に対応した選択部が表示されるが、各選択部にどのような光出力特性パターンが設定されているかわからないため、複数の選択部を１つずつ選択し、照明負荷の光出力特性パターンを１つずつ表示させて確認していかなければならず、手間および時間がかかり、作業効率に問題がある。
【０００７】
本発明が解決しようとする課題は、作業効率を向上できる調光操作装置を提供することである。
【課題を解決するための手段】
【０００８】
実施形態の調光操作装置は、記憶部、表示手段、表示制御手段および設定手段を備える。記憶部は、複数の照明負荷について入力調光レベルの変化に対する光出力の変化の割合を設定する光出力特性パターンを記憶する。表示手段は、画像を表示する。表示制御手段は、表示手段に、照明負荷に対応する選択部を表示するとともに、選択部に対応して記憶部に記憶されている照明負荷の光出力特性パターンのサムネイル画像を表示する。設定手段は、表示手段に表示された選択部を選択し、光出力特性パターンを設定する。
【発明の効果】
【０００９】
本発明によれば、表示手段に表示された選択部を選択しなくても、選択部に対応して表示されるサムネイル画像で照明負荷の光出力特性パターンを確認することができ、作業効率が向上することが期待できる。
【図面の簡単な説明】
【００１０】
【図１】一実施形態を示す調光操作装置の表示手段に表示する光出力特性パターン設定画面の正面図である。
【図２】同上調光操作装置を用いた照明システムのブロック図である。
【図３】同上調光操作装置のサムネイル画像を表示するフローチャートである。
【図４】同上調光操作装置の表示手段で表示する割付設定画面の正面図である。
【発明を実施するための形態】
【００１１】
以下、一実施形態を、図１ないし図４を参照して説明する。
【００１２】
図２に、スタジオや舞台等の照明に用いられる照明システム10を示す。照明システム10は、スタジオや舞台に設置される複数の照明負荷（照明装置）11の調光状態を演出シーン等に応じて制御する。
【００１３】
照明システム10は、複数の照明負荷11を調光制御する複数の調光器12、および各照明負荷11の入力調光レベルを操作する調光操作装置13を備え、これらがネットワーク14によって通信可能としている。通信には、ＤＭＸ５１２等の通信プロトコルが使用される。
【００１４】
そして、各調光器12は、調光操作装置13から送信されてくる自己のアドレスの調光データを取り込み、調光データに従って照明負荷11を調光する。また、照明負荷11は、例えばＬＥＤやランプ等の光源を有し、調光器12によって光源の点灯状態を調光する。
【００１５】
また、調光操作装置13は、調光操作卓であり、さらに光出力特性パターン（プロファイルカーブ）設定や割付設定等を行う回路制御卓の機能を備えている。なお、回路制御卓の機能のみを備えていてもよい。
【００１６】
調光操作装置13は、表示手段17、入力手段18、制御部19および記憶部20等を備えている。
【００１７】
表示手段17は、画像を表示する平面形の表示面を有するディスプレイで構成されている。ディスプレイは、カラー表示する液晶ディスプレイ等で構成されている。
【００１８】
入力手段18は、表示面の前面側に配設されるタッチパネルを備えている。例えば、静電容量式のタッチパネルの場合には、パネル面に透明な電極を縦方向、横方向に格子状に配置し、操作者の指が触れた際に生じる静電容量の変化からパネル面でのタッチ位置を検知するように構成されている。なお、入力手段18は、マウスやキーボード等の別の入力機器を備えていてもよい。そして、入力手段18が、光出力特性パターンを設定する設定手段21として構成されている。
【００１９】
制御部19は、調光操作装置13全体を制御する。制御部19は、表示手段17に画像を表示させる表示制御手段22を備えている。
【００２０】
記憶部20は、制御部19に対してデータの読み書きを可能としている。記憶部20には、複数の照明負荷11について、入力調光レベルの変化に対する光出力の変化の割合を設定する光出力特性パターン（プロファイルカーブ）等を記憶する。
【００２１】
また、表示制御手段22は、表示手段17に対して、図１に示す光出力特性パターン設定画面、図４に示す割付設定画面、およびフィーダ等を表示する調光操作画面（図示せず）等の画面の画像を表示させる。
【００２２】
図１に示す光出力特性パターン設定画面には、左側の選択表示領域24、中央のパターン表示領域25、および右側のメニュー表示領域26等が含まれる。
【００２３】
選択表示領域24には、複数の照明負荷11に対応する複数の選択部28が表示される。選択部28は、四角く囲まれたボタン形態で表示され、ボタン内側に各照明負荷11に対応する番号が表示される。さらに、各選択部28に対応して、記憶部20に記憶されている各照明負荷11の光出力特性パターンのサムネイル画像29が表示される。本実施形態では、複数の選択部28が上下方向に並ぶとともに左右方向に２列に配列され、各選択部28の右側部にサムネイル画像29が表示される。サムネイル画像29は、光出力特性パターンのグラフを縮小した画像である。
【００２４】
パターン表示領域25には、選択された選択部28に対応する照明負荷11の光出力特性パターンのグラフが拡大表示される。光出力特性パターンのグラフは、横軸が入力調光レベルの０％〜１００％の割合、縦軸が照明負荷11の光出力の０％〜１００％の割合であり、０％が消灯、１００％が全光点灯である。グラフ中には、０％〜１００％の範囲で、光出力特性パターンが直線または曲線の光出力特性パターン線30によって表示される。
【００２５】
光出力特性パターンは、入力調光レベルの変化の割合に対して光出力の変化の割合を設定したもので、例えば、番号９の選択部28のサムネイル画像29のように、入力調光レベルが０％に近い領域では光出力の変化の割合が少なく、入力調光レベルが１００％に近い領域では光出力の変化の割合が大きい曲線になり、また、番号１０の選択部28のサムネイル画像29のように、入力調光レベルが０％に近い領域では光出力の変化の割合が大きく、入力調光レベルが１００％に近い領域では光出力の変化の割合が小さい曲線になる。そして、図１のパターン表示領域25に示した例の光出力特性パターンは、入力調光レベルの変化の割合と光出力の変化の割合とが同じで直線の光出力特性パターン線30になっている。光出力特性パターン線30の中間には複数の調整ポイントがあり、これら調整ポイントを入力手段18で移動させることによって任意の光出力特性パターンに調整することができる。
【００２６】
メニュー表示領域26には、光出力特性パターンの設定項目を含む複数のメニュー項目に対応した複数のメニュー表示部31が表示される。
【００２７】
また、図３には、表示制御手段22により、サムネイル画像29を表示するフローチャートを示す。
【００２８】
光出力特性パターンのサムネイル画像29の表示時に、記憶部20から全ての光出力特性パターンデータを読み込み、読み込んだ光出力特性パターンデータをグラフ制御インスタンスに格納する。
【００２９】
グラフ制御インスタンスに格納した光出力特性パターンデータに基づいて、サムネイル描画インスタンスにサムネイルイメージを作成する。
【００３０】
サムネイル描画インスタンスに作成されたサムネイルイメージを画面描画インスタンスに描画する。
【００３１】
画面描画インスタンスに描画された内容を表示手段17の画面に表示する。
【００３２】
そして、図１に示すように、光出力特性パターンを設定するために、表示手段17に光出力特性パターン設定画面を表示させることにより、複数の照明負荷11に対応した複数の選択部28が表示されるとともに、各選択部28に対応して照明負荷11の光出力特性パターンのサムネイル画像29が表示される。そのため、サムネイル画像29により、各照明負荷11の光出力特性パターンを確認することができる。
【００３３】
光出力特性パターンを修正する場合には、選択部28を選択することにより、選択された選択部28に対応する照明負荷11の光出力特性パターンのグラフが拡大表示される。光出力特性パターン線30の調整ポイントを入力手段18で移動させることによって任意の光出力特性パターンに修正することができる。修正された光出力特性パターンは、記憶部20に更新記憶される。
【００３４】
パターン表示領域25に表示された光出力特性パターンを修正すると、対応するサムネイル画像29も修正後のサムネイル画像29に更新される。
【００３５】
このように調光操作装置13では、表示手段17に表示された選択部28を選択してパターン表示領域25に光出力特性パターンを表示させなくても、選択部28に対応して表示されるサムネイル画像29で照明負荷11の光出力特性パターンを確認することができるため、選択部28を選択してパターン表示領域25に光出力特性パターンを１つずつ表示させて確認する場合に比べて、手間および時間がかからず、作業効率を向上できる。
【００３６】
さらに、表示手段17に、選択部28およびサムネイル画像29を表示する選択表示領域24と、選択部28で選択された照明負荷11の光出力特性パターンを表示するパターン表示領域25とを同時に表示するため、選択表示領域24に表示された選択部28およびサムネイル画像29によって全ての照明負荷11の光出力特性パターンを把握しながら、選択部28を選択してパターン表示領域25に表示された照明負荷11の光出力特性パターンを修正、設定することができ、作業効率を向上できる。
【００３７】
また、図４に示す割付設定画面には、スタジオに設置される複数の照明負荷11のレイアウトに対応して選択可能な複数の選択部34を配置して表示するレイアウト表示領域35、および割り付けるフィーダを選択したり画面を切り換えるといった各種操作を行う操作表示領域36等が含まれる。
【００３８】
割付作業では、操作表示領域36で割り付けるフィーダを選択し、そのフィーダに割り付ける照明負荷11をレイアウト表示領域35の選択部34を１つまたは複数選択して割り付ける。
【００３９】
割付設定画面において、選択部34に対応して光出力特性パターンのサムネイル画像29を表示してもよい。サムネイル画像29は、全ての選択部34に対応して表示してもよいし、予め定められたグループ領域を選択することによってそのグループ領域に含まれる複数の選択部34に対応して表示してもよいし、選択した選択部34のみに対応して表示してもよい。
【００４０】
この割付作業中にも、操作表示領域36で光出力特性パターンの項目を選択し、選択部34を選択することで、図１の光出力特性パターン設定画面のパターン表示領域25のような光出力特性パターンのグラフを表示、光出力特性パターンを修正できるようにしてもよい。
【００４１】
そして、調光操作時には、表示手段17の調光操作画面にフィーダ等が表示され、入力手段18でフィーダを操作することにより、照明負荷11毎に予め設定されている光出力特性パターンに基づいて、フィーダで操作される入力調光レベルに対して照明負荷11の光出力が変化する。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
11    照明負荷
13    調光操作装置
17    表示手段
20    記憶部
21    設定手段
22    表示制御手段
24    選択表示領域
25    パターン表示領域
28    選択部
29    サムネイル画像
【図１】
2015076156.tif 000003
【図２】
2015076156.tif 000004
【図３】
2015076156.tif 000005
【図４】
2015076156.tif 000006